(57)【特許請求の範囲】
【請求項１】
閉じばね（３０）の張力で戸パネル（１）を閉じ操作する閉止構造と、閉じばね（３０）を蓄力姿勢に保持し、あるいは閉じばね（３０）の蓄力姿勢を解除する切換構造とを含み、
閉止構造は、伸縮変位する閉じばね（３０）と、閉じばね（３０）の両端を受け止め保持した状態で相対的に接近ないし離反する固定ばね受体（１５）、および可動ばね受体（１７）とからなり、
切換構造は、可動ばね受体（１５）と同行移動する可動ブロック（３３）と、可動ブロック（３３）でロック姿勢と解除姿勢とに往復変位可能に支持されるロックアーム（３４）と、ロック姿勢に切り換わったロックアーム（３４）を係止保持するアーム係止体（３５）と、戸パネル（１）の閉じ動作に連動してロックアーム（３４）を解除姿勢に切り換える切換具（３７）とからなり、
切換具（３７）は、ロックアーム（３４）を解除姿勢に切り換える解除体（６０）と、解除姿勢に切り換わったロックアーム（３４）を受け止める保持突起（６１）とを備えており、
戸パネル（１）とガイドレール（２）のいずれか一方に切換具（３７）が固定され、他方に閉止構造と、切換具（３７）を除く切換構造の構成部材が組み込んである引戸の閉じ支援装置。
【請求項２】
戸パネル（１）とガイドレール（２）のいずれか一方に、戸パネル（１）の閉じ動作を制動するダンパー（１４）が設けてある請求項１記載の引戸の閉じ支援装置。
【請求項３】
閉止構造を構成する閉じばね（３０）、固定ばね受体（１５）、可動ばね受体（１７）と、切換構造を構成する可動ブロック（３３）、ロックアーム（３４）、アーム係止体（３５）と、ダンパー（１４）とがケース（２３）に組み込まれて１個のユニット部品として構成されており、
ダンパー（１４）が、シリンダー（１５）と、ピストン（１６）を含むピストンロッド（１７）と、絞り弁（１８）を含むシリンダーユニットで構成されており、
シリンダー（１５）とピストンロッド（１７）とが、固定ばね受体および可動ばね受体を兼ねて、両者（１５・１７）間に閉じばね（３０）が配置してある請求項２記載の引戸の閉じ支援装置。
【請求項４】
前後一対のロックアーム（３４）が、可動ブロック（３３）でそれぞれ対向揺動可能に支持されており、
保持突起（６１）で受け止められていた前後一対のロックアーム（３４）を、同時に拡開操作してロック姿勢に切り換えるアーム復帰体（３６）と、アーム復帰体（３６）をロックアーム（３４）へ向かって移動付勢する復帰ばね（４６）が可動ブロック（３３）に設けてある請求項３記載の引戸の閉じ支援装置。
【請求項５】
１個のロックアーム（３４）が、可動ブロック（３３）で揺動可能に支持されており、
保持突起（６１）で受け止められていたロックアーム（３４）を拡開操作してロック姿勢に切り換えるアーム復帰体（３６）と、アーム復帰体（３６）をロックアーム（３４）へ向かって移動付勢する復帰ばね（４６）が可動ブロック（３３）に設けてある請求項３記載の引戸の閉じ支援装置。
【請求項６】
可動ブロック（３３）を閉じばね（３０）の張力に抗しながらばね蓄力方向へ移動操作して、ロックアーム（３４）をアーム係止体（３５）と係止させるための操作突起（４２）が可動ブロック（３３）に設けられており、
操作突起（４２）がガイドレール（２）のレール開口（２ｂ）から下方へ突出されて、ガイドレール（２）と戸パネル（１）との上下隙間に臨ませてある請求項３または４記載の引戸の閉じ支援装置。
【請求項７】
可動ブロック（３３）を閉じばね（３０）の張力に抗しながらばね蓄力方向へ移動操作して、ロックアーム（３４）をアーム係止体（３５）と係止させるための操作突起（４２）が可動ブロック（３３）に設けられており、
ガイドレール（２）の内部に、戸パネル（１）が全開放される過程で操作突起（４２）を移動操作するリセット片（６４）が固定してある請求項３または４記載の引戸の閉じ支援装置。
【発明の詳細な説明】
【技術分野】
【０００１】
本発明は、引戸の戸パネルを閉じ端寄りにおいて自動的に閉じ操作できる引戸の閉じ支援装置に関する。
【背景技術】
【０００２】
この種の閉じ支援装置は特許文献１に公知である。そこでは、戸パネルを閉じ操作する閉じばねと、閉じばねを蓄力状態に保持し、あるいは蓄力保持状態を解除するための切換構造と、エアーダンパーとして機能するシリンダーユニットなどで閉じ支援装置を構成している。閉じばねが蓄力状態に保持されるのに伴い、シリンダーユニットも制動待機状態に復帰保持される。そこでは、ピストンロッドとシリンダーとの間に閉じばねを配置し、蓄力された状態の閉じばねの引っ張り力で戸パネルを閉じ操作する。切換構造は、シリンダーの閉じ端側に固定される磁石と、磁石で吸着される第１吸着体、およびガイドレールに固定される第２吸着体などで構成してある。シリンダーユニット、磁石、および第１吸着体は戸パネルの側に組み付けてある。
【０００３】
自由開閉可能な状態の戸パネルを閉じ操作すると、閉じ端の手前で磁石がガイドレールに設けた第２吸着体で受け止められ、シリンダーの移動が阻止される。この状態から戸パネルをさらに閉じ操作すると、第１吸着体と磁石の吸着状態が解除され、閉じばねの蓄力保持状態が解除される。その結果、閉じばねの付勢力によってピストンロッドがシリンダー側へ引き寄せられ、自動的に戸パネルが閉じ操作される。このとき、シリンダーから排出される空気を絞り弁で絞ることにより、戸パネルをゆっくりと閉じ移動できる。
【０００４】
閉じ位置にある戸パネルを開放操作すると、ピストンロッドが閉じばねの張力に抗してシリンダーから引き出され、閉じばねが蓄力された時点で第１吸着体が磁石に吸着されて蓄力状態を保持する。このとき、ピストンロッドは制動待機状態に復帰している。さらに、戸パネルを開放操作すると、磁石と第２吸着体との吸着状態が解除されて、戸パネルは自由に開閉できる状態となるが、第１吸着体は磁石に吸着された状態のままであるので、閉じばねを蓄力された状態に維持できる。
【０００５】
本出願人は、閉じばねに換えて、閉じ端へ向かって下り傾斜するレールで、戸パネルを自動的に閉止する閉じ支援装置を先に提案している（特許文献２）。そこでは、エアーダンパーとして機能するシリンダーユニットを備えており、ピストンロッドの突端に固定した磁石を、ガイドレールの閉じ端寄りに固定した鉄板に吸着させることにより、戸パネルを開放操作するとき、ピストンロッドをシリンダーから引き出し操作して、制動待機姿勢に復帰できるようにしている。
【０００６】
【特許文献１】特開２００５−３６６３５号公報（段落番号００２３〜００２８、図７）
【特許文献２】特開２００６−１６１５３８号公報（段落番号００３２〜００３３、図１）
【発明の開示】
【発明が解決しようとする課題】
【０００７】
特許文献１の閉じ支援装置によれば、戸パネルを手動で所定位置まで閉じ操作すると、以後は閉じばねの付勢力で戸パネルを自動的に閉じ移動できる。しかし、磁石の吸着力によって閉じばねを蓄力された状態に保持し、同時にピストンロッドを制動待機状態に保持するので、閉じばねの張力に対抗できる強力な磁石を使用する必要があり、磁石のコストが嵩み、その分だけ閉じ支援装置の全体コストが増加するのを避けられない。また、閉じばねの張力と、磁石の吸着力とに逆らって戸パネルを開放操作する必要があるので、戸パネルを開放するのに大きな操作を必要とする不利があり、さらに磁石と各吸着体とが吸着ないし分離するときに戸パネルの開閉速度が変化するので滑らかな開閉を行えない。
【０００８】
特許文献２の閉じ支援装置によれば、戸パネルが下り傾斜するレールに沿って自重で閉じ移動するので閉じばねを省略でき、戸パネルの大きさや重量とは無関係に戸パネルを閉じ操作できる。しかし、戸パネルを支持する左右一対のランナーに対応して、それぞれ下り傾斜する専用のレールを用意する必要があり、また左右それぞれに専用のランナーが必要なことも加わって、閉じ支援装置の全体コストが高く付く。先の磁石に比べると低コストにはなるが、ピストンロッドの吸着保持に磁石を使用するので、その分だけコストが嵩む。閉じ端寄りにおいて戸パネルが上下移動するので、開放された戸パネルと床面との間に隙間が生じるのを避けられない。
【０００９】
本発明の目的は、閉じばねの蓄力状態の保持と、蓄力保持状態の解除とを機械的に行うことにより、戸パネルの大きさや重量とは無関係に切換構造を適用でき、しかも、磁石の吸着作用を利用する切換構造に比べて全体コストを削減でき、より小さな力で軽快に戸パネルを開閉できる引戸の閉じ支援装置を提供することにある。本発明の目的は、閉じ状態の戸パネルを開放操作するだけで、閉じばねを蓄力された状態に復帰保持し、同時にダンパーを制動待機状態に復帰保持でき、したがって、閉じばねおよびダンパーの切り換えを意識する必要もなく確実に行える、使い勝手に優れた引戸の閉じ支援装置を提供することにある。本発明の目的は、施工時の勘違いや錯誤などによって閉じ支援装置が正しく組み付けられなかった場合にも、各構成部材を分解する必要もなく簡単な操作で適正な状態に修復できる引戸の閉じ支援装置を提供することにある。
【課題を解決するための手段】
【００１０】
本発明の閉じ支援装置は、閉じばね３０の張力で戸パネル１を閉じ操作する閉止構造と、閉じばね３０を蓄力姿勢に保持し、あるいは閉じばね３０の蓄力姿勢を解除する切換構造とを含む。閉止構造は、伸縮変位する閉じばね３０と、閉じばね３０の両端を受け止め保持した状態で、閉じばね３０の伸縮変位に対応して相対的に接近ないし離反する固定ばね受体１５、および可動ばね受体１７とからなる。切換構造は、可動ばね受体１５と同行移動する可動ブロック３３と、可動ブロック３３でロック姿勢と解除姿勢とに往復変位可能に支持されるロックアーム３４と、ロック姿勢に切り換わったロックアーム３４を係止保持するアーム係止体３５と、戸パネル１の閉じ動作に連動してロックアーム３４を解除姿勢に切り換える切換具３７とからなる。切換具３７は、ロックアーム３４を解除姿勢に切り換える解除体６０と、解除姿勢に切り換わったロックアーム３４を受け止める保持突起６１とを備えている。戸パネル１とガイドレール２のいずれか一方に切換具３７を固定し、他方に閉止構造と、切換具３７を除く切換構造の構成部材を組み込む。
【００１１】
戸パネル１とガイドレール２のいずれか一方に、戸パネル１の閉じ動作を制動するダンパー１４を設ける。
【００１２】
閉止構造を構成する閉じばね３０、固定ばね受体１５、可動ばね受体１７と、切換構造を構成する可動ブロック３３、ロックアーム３４、アーム係止体３５と、ダンパー１４とをケース２３に組み込んで１個のユニット部品として構成する。ダンパー１４は、シリンダー１５と、ピストン１６を含むピストンロッド１７と、絞り弁１８を含むシリンダーユニットで構成する。以て、シリンダー１５とピストンロッド１７とが、固定ばね受体および可動ばね受体を兼ねるようにし、両者１５・１７間に閉じばね３０を配置する。
【００１３】
前後一対のロックアーム３４を、可動ブロック３３でそれぞれ対向揺動可能に軸支する。保持突起６１で受け止められていた前後一対のロックアーム３４を、同時に拡開操作してロック姿勢に切り換えるアーム復帰体３６と、アーム復帰体３６をロックアーム３４へ向かって移動付勢する復帰ばね４６を可動ブロック３３に設ける。
【００１４】
１個のロックアーム３４を、可動ブロック３３で揺動可能に支持する。保持突起６１で受け止められていたロックアーム３４を拡開操作してロック姿勢に切り換えるアーム復帰体３６と、アーム復帰体３６をロックアーム３４へ向かって移動付勢する復帰ばね４６を可動ブロック３３に設ける。
【００１５】
可動ブロック３３を閉じばね３０の張力に抗しながらばね蓄力方向へ移動操作して、ロックアーム３４をアーム係止体３５と係止させるための操作突起４２を可動ブロック３３に設ける。操作突起４２は、ガイドレール２のレール開口２ｂから下方へ突出して、ガイドレール２と戸パネル１との上下隙間に臨んでいる。
【００１６】
可動ブロック３３を閉じばね３０の張力に抗しながらばね蓄力方向へ移動操作して、ロックアーム３４をアーム係止体３５と係止させるための操作突起４２を可動ブロック３３に設ける。ガイドレール２の内部に、戸パネル１が全開放される過程で操作突起４２を移動操作するリセット片６４を固定する。
【発明の効果】
【００１７】
本発明の支援装置は、閉じばね３０と、閉じばね３０の両端を受け止める固定ばね受体１５および可動ばね受体１７とで閉止構造を構成した。また、可動ブロック３３、ロックアーム３４、アーム係止体３５、および切換具３７とで切換構造を構成し、戸パネル１を自由開閉位置から閉じ操作するとき、ロックアーム３４を切換具３７の解除体６０で解除姿勢に切り換えて、閉じばね３０の蓄力保持状態を解除し、閉じばね３０の張力で戸パネル１を閉じ操作できるようにした。さらに、閉じ状態の戸パネル１を開放操作するとき、閉じばね３０を蓄力された状態に復帰させ、同時にロックアーム３４をロック姿勢に切り換えてアーム係止体３５で係止し、閉じばね３０を蓄力された状態に保持できるようにした。
【００１８】
上記のように、本発明では閉じばね３０の蓄力状態の保持と蓄力保持状態の解除とを、ロックアーム３４、アーム係止体３５、切換具３７などの機構部品の機械的動作によって行うので、磁石と吸着体との磁気吸着作用を利用する従来の切換構造に比べて、高価な磁石を省略して切換構造の製造に要するコストを大幅に削減でき、その分だけ閉じ支援装置を低コストで提供できる。また、各機構部品の機械的な動作によって蓄力状態の保持と蓄力保持状態の解除とを行うので、磁石を切換要素とする切換構造において避けられない、戸パネル１の節動や、瞬間的な操作力の変化を伴うこともなく戸パネル１を円滑に開閉できる。磁気吸着力に逆らう必要がない分だけより小さな力で軽快に戸パネル１を開閉できる。戸パネル１の大きさや重量が違う場合でも切換構造を共通して適用できる。
【００１９】
戸パネル１の閉じ動作を制動するダンパー１４を備えた閉じ支援装置によれば、戸パネル１が乱暴に閉じ操作されるような場合でも、戸パネル１をゆっくりと閉じ移動させて、戸パネル１が戸枠に衝突し、あるいは指先が戸パネル１と戸枠との間に挟み込まれるのを確実に防止して安全性を向上できる。
【００２０】
閉止構造を構成する閉じばね３０、固定ばね受体１５、可動ばね受体１７と、切換構造を構成する可動ブロック３３、ロックアーム３４、アーム係止体３５と、ダンパー１４とをケース２３に組み込んで、これらの構成部材を１個のユニット部品として構成すると、施工現場における組立の手間を大幅に省くことができ、しかも、組立ミスを生じる余地がない状態で確実にしかも迅速に組立を行える。また、シリンダー１５、ピストン１６、ピストンロッド１７、絞り弁１８などのシリンダーユニットでダンパー１４を構成し、シリンダー１５とピストンロッド１７とが、閉じ構造の固定ばね受体および可動ばね受体を兼ねるようにすると、閉じ構造と、切換構造と、ダンパーを個別に設ける場合に比べて、閉じ支援装置の構造を簡素化し全体コストをさらに削減でき、構造を簡素化できる分だけ、故障の発生確率を低下して信頼性を向上できる。閉じ状態の戸パネル１を開放操作するだけで、閉じばね３０を蓄力された状態に復帰保持し、同時にダンパー１４を制動待機状態に復帰保持できるので、閉じばね３０およびダンパー１４の状態切り換えを意識する必要もなく確実に行って、閉じ支援装置の使い勝手を向上できる。
【００２１】
前後一対のロックアーム３４と、両ロックアーム３４をロック姿勢に切り換えるアーム復帰体３６および復帰ばね４６を可動ブロック３３に設ける切換構造によれば、一対のロックアーム３４で閉じばね３０を蓄力された状態に確実に保持でき、あるいは、アーム復帰体３６で両ロックアーム３４を確実にロック姿勢に切り換えることができるので、閉じばね３０の蓄力状態の保持と蓄力保持状態の解除など、一連の閉じ支援動作をさらに確実に行って閉じ支援装置の信頼性を向上できる。また、１個のロックアーム３４のみでロック姿勢を保持する場合に比べて、さらに確実にロック姿勢を保持できるうえ、ロックアーム３４を解除操作するのに必要な解除ストロークを最小限化し円滑化できる。一対のロックアーム３４をアーム係止体３６で受け止めて閉じばね３０を蓄力された状態に保持するので、戸パネル１が乱暴に開閉され、あるいは大きな外力が戸パネル１に作用するような状況であっても、ロックアーム３４のロック姿勢が解除されるのを確実に防止して誤作動を一掃できる。
【００２２】
１個のロックアーム３４と、このロックアーム３４をロック姿勢に切り換えるアーム復帰体３６と復帰ばね４６を可動ブロック３３に設ける切換構造によれば、前後一対のロックアーム３４を備えた切換構造に比べて、切換構造を簡素化してその分だけ故障しにくい切換構造とすることができる。また、ケース２３の前後いずれか一方に限ってロックアーム３４を設けるので、ロックアーム３４とアーム復帰体３６との相対的な位置精度を向上でき、狭いケース２３内における設計の自由度が増す利点もある。ランナー４がガイドレール２内で蛇行するような場合でも、解除体６０および保持突起６１とロックアーム３４とを確実に接離させて、ロック姿勢と解除姿勢との間のロックアーム３４の姿勢切り換えをさらに確実に行うことができる。
【００２３】
可動ブロック３３に設けた操作突起４２を、ガイドレール２のレール開口２ｂから下方へ突出させて、ガイドレール２と戸パネル１との上下隙間に臨ませる閉じ支援装置によれば、操作突起４２を閉じばね３０の張力に抗しながらばね蓄力方向へ移動操作することで、ロックアーム３４をロック姿勢に切り換えてアーム係止体３５と係止させることができる。したがって、施工時の勘違いや錯誤などによって閉じ支援装置が正しく組み付けられなかった場合にも、閉じ支援装置の各構成部材を分解することもなく、操作突起４２を手動で移動操作するだけの簡単な操作で切換構造を適正な状態に修復できる。
【００２４】
可動ブロック３３に操作突起４２を設け、ガイドレール２の内部に操作突起４２を移動操作するリセット片６４を固定する閉じ支援装置によれば、戸パネル１を全開放操作する間に操作突起４２がリセット片６４で受け止められるので、可動ブロック３３を閉じばね３０の張力に抗しながらばね蓄力方向へ移動操作して、ロックアーム３４をロック姿勢に切り換えてアーム係止体３５と係止させることができる。したがって、施工時の勘違いや錯誤などによって閉じ支援装置が正しく組み付けられなかった場合にも、閉じ支援装置の各構成部材を分解することもなく、戸パネル１を単に全開放操作するだけの簡単な操作で切換構造を適正な状態に修復できる。
【発明を実施するための最良の形態】
【００２５】
（実施例）  図１ないし図１１は本発明に係る閉じ支援装置を適用した、引戸の実施例を示す。この実施例の引戸は、ウォークインクローゼットや屋内収納室の出入口を１枚構造の戸パネルで引き違い開閉する場合を示す。図２において、符号１は戸パネル、２は開口枠の上部に固定されるガイドレールである。戸パネル１の上面両端には上側のガイドレール２で移行案内されるランナー４が装着され、戸パネル１の下面には床面に固定したガイドローラ５で移行案内されるスライド溝３が形成してある。戸パネル１の外面には把手６が設けてある。戸パネル１の重量はランナー４を介してガイドレール２が負担する。
【００２６】
図１０に示すようにガイドレール２は、下向きに開口する断面Ｃ字状のアルミニウム条材からなり、その下端に前後一対のレール壁２ａが対向形成され、両レール壁２ａの間にランナー４のランナー軸１１を通すためのレール開口２ｂが開口してある。ランナー４は、横長ブロック状のランナー台８と、ランナー台８の両側のローラー軸９で遊転自在に軸支されるローラー１０などで構成してある。ランナー４と戸パネル１とは、上端がランナー台８に連結されたランナー軸１１で連結してある。
【００２７】
上記の戸パネル１を、その開閉ストロークの閉じ端寄りにおいて閉じ支援するために、戸パネル１とガイドレール２との間に閉じ支援装置を設けている。閉じ支援装置は、閉じばね３０の張力で戸パネル１を閉じ操作する閉止構造と、閉じばね３０を蓄力姿勢に保持し、あるいは閉じばね３０の蓄力保持状態を解除する切換構造と、エアーダンパー（ダンパー）１４とで構成する。
【００２８】
図３ないし図５においてエアーダンパー１４は、シリンダー１５と、ピストン１６およびピストンロッド１７を備えたシリンダーユニットで構成されており、ピストンロッド１７がシリンダー１５内へ退縮移動するとき、ピストン１６で押し出される空気の出口通路を絞り弁１８で絞ることにより、戸パネル１の閉じ動作を制動する。シリンダー１５の一端には端プラグ１９が固定してあり、その内部に先の絞り弁１８と、絞り量を調整する調整ねじ２０が組み込んである。ピストン１６にはチェック弁２１が組み込んである。チェック弁２１は、ピストンロッド１７がシリンダー１５内へ退縮移動するときは、空気の出入りを遮断し、ピストンロッド１７がシリンダー１５から抜き出し操作されるときは、空気の出入りを許す。ピストンロッド１７はアルミニウム管材で形成してある。
【００２９】
シリンダーユニットは、上向きに開口する左右横長のケース２３に収容されて、先の端プラグ１９が、レール壁２ａでスライド案内されるスライドピース２４と共にボルト２５でケース２３に固定してある（図３参照）。ケース２３の他端は、戸パネル１の閉じ端側に配置したランナー４の連結片８ａにボルト２６で固定してある。したがって、シリンダー１５およびケース２３は、開閉するときの戸パネル１と同行移動でき、ピストン１６およびピストンロッド１７は、シリンダー１５およびケース２３に対して相対スライドできる。図６に示すように、ケース２３は断面がＣ字状のアルミニウム条材からなり、その上面の前後に可動ブロック３３の浮き上がりを規制する規制壁２３ａが張り出し形成され、先のランナー４との連結部分に限って、ガイド壁２３ａと前後壁とが切り欠き除去してある。この切欠部分２３ｂに後述するアーム係止体３５が装着される。
【００３０】
閉止構造は、圧縮ばねからなる閉じばね３０と、閉じばね３０の両端を受け止める固定ばね受体および可動ばね受体とで構成する。この実施例では、先のシリンダー１５のロッドガイド１５ａとピストン１６との間に閉じばね３０を配置して、シリンダー１５が固定ばね受体を兼ね、ピストン１６およびピストンロッド１７が可動ばね受体を兼ねるようにした。ピストンロッド１７は、圧縮変形された閉じばね３０が伸長する時のばね張力を受けてシリンダー１５の内部へ退縮操作され、この時の両者１５・１７の相対スライド動作を利用して戸パネル１が閉じ操作される。
【００３１】
図４ないし図６において切換構造は、ピストンロッド１７の端部に固定される可動ブロック３３と、可動ブロック３３でロック姿勢と解除姿勢とに往復変位可能に支持される前後一対のロックアーム３４と、両ロックアーム３４をロック姿勢に係止保持するアーム係止体３５と、両ロックアーム３４を拡開操作してロック姿勢に切り換えるアーム復帰体３６と、戸パネル１の閉じ動作に連動してロックアーム３４を解除姿勢に切り換え、受け止め保持する切換具３７とからなる。可動ブロック３３およびロックアーム３４と、アーム係止体３５と、アーム復帰体３６とは、先のシリンダーユニットと共にケース２３に組み込まれて１個のユニット部品として構成される。このように、切換具３７を除く各構成部品をケース２３に組んで１個のユニット部品化すると、施工現場において閉じ支援装置を組み付ける際の作業の手間を大幅に軽減でき、さらに、組立間違いによる作動不良を一掃できる。図３および図７に示すように、切換具３７はガイドレール２に組み込まれる。
【００３２】
可動ブロック３３は、ケース２３で左右スライドのみ自在に案内される本体部４０と、本体部４０の側端に突設される連結軸４１と、本体部４０の下面に突設される操作突起４２とを一体に備えたプラスチック成形品からなる。本体部４０のベース壁４０ａの上面に前後一対のロックアーム３４を配置し、両アーム３４をねじ軸（軸）４４で前後揺動可能に支持している。さらに、本体部４０に凹み形成したガイド穴４５でアーム復帰体３６を左右スライド自在に案内し、復帰ばね４６でアーム復帰体３６をロックアーム３４へ向かって移動付勢している。ベース壁４０ａの側端には、ロックアーム３４の拡開限界を規定する規制段部４８が切り欠き形成してある。連結軸４１は、ピストンロッド１７の端部に内嵌されてロールピン４７で固定してある。この連結状態において、操作突起４２はケース２３の底壁に開口した溝２３ｃ、およびガイドレール２のレール開口２ｂから下方へ突出して、ガイドレール２と戸パネル１との上下隙間に臨んでいる。
【００３３】
ロックアーム３４は平面視がくさび状のプラスチック成形品からなり、後述する解除体６０で拡開操作される受動部５１を一端に有し、他端側にアーム係止体３５で受け止め係止される係止爪５２と、後述する保持突起６１で受け止められる部分円弧状の係止凹部５３とを備えている。前後のロックアーム３４は、その左右中途部を先のねじ軸４４で軸支することにより、両ロックアーム３４が図１に示すようにハ字状に拡開するロック姿勢と、図９（Ａ）に示すように両ロックアーム３４の前後周面がケース２３の前後壁で受け止められる解除姿勢とに前後揺動できる。
【００３４】
アーム係止体３５は、逆門形のプラスチック成形品からなり、切欠部分２３ｂの下面側から外嵌装着されてケース２３と一体化してある。アーム係止体３５の側端縁には、掛止爪５２を受け止めるリブ壁５５が膨出形成してある。アーム復帰体３６は、ゴムまたは軟質樹脂材を素材にして形成してあり、その先端には、解除姿勢に切り換わったロックアーム３４を拡開操作してロック姿勢に付勢するくさび状の拡開爪５６が形成してある。
【００３５】
切換具３７は、横長四角形状のベース壁５９の下面にくさび状の解除体６０と、丸軸状の保持突起６１とを一体に備えたプラスチック成形品からなる。解除体６０はロックアーム３４を解除姿勢に切り換え操作するために設けられており、保持突起６１は解除姿勢に切り換わったロックアーム３４を受け止めるために設けてある。保持突起６１の直径寸法は、ロック姿勢に切り換わったロックアーム３４の前後間隔寸法より小さく設定してあって、両ロックアーム３４の間を通り抜けることができる。解除体６０の広幅部分の前後幅寸法は、ロック姿勢に切り換わったロックアーム３４の前後間隔寸法より大きく設定してある。切換具３７をガイドレール２に固定した状態では、解除体６０および保持突起６１がケース２３の内部に入り込んで、ロックアーム３４およびアーム復帰体３６の移動領域内に位置している。
【００３６】
戸パネル１が自由開閉位置にあるとき、ピストンロッド１７はシリンダー１５から進出して閉じばね３０が圧縮変形された状態、すなわち蓄力された状態になっており、ロックアーム３４は、図１に示すように係止爪５２がアーム係止体３５のリブ壁５５で受け止められてロック姿勢に保持されている。このとき、アーム復帰体３６はガイド穴４５から押し出されて、拡開爪５６の基端両側がロックアーム３４の係止凹部５３の対向縁で受け止められており、ロックアーム３４の受動部５１の下端は規制段部４８で受け止められている。この状態の閉じばね３０の張力は、シリンダー１５とケース２３とが受け止めている。
【００３７】
上記の状態の戸パネル１を閉じ操作すると、図７ないし図９に示すようにロックアーム３４が切換具３７に接近し、やがて保持突起６１が両ロックアーム３４の間を相対的に通り抜けて拡開爪５６の突端に接当し、アーム復帰体３６をガイド穴４５内へ退入させる。同時に前後のロックアーム３４の受動部５１が解除体６０のくさび面に接当する。さらに戸パネル１が閉じ方向へ移動すると、図９（Ａ）に示すように受動部５１が解除体６０で拡開操作されるため、ロックアーム３４とアーム係止体３５との係止状態が解除される。
【００３８】
アーム係止体３５との係止状態が解除されたロックアーム３４は、ロック姿勢から解除姿勢に切り換わり、閉じばね３０の蓄力保持状態が解除される。同時に、図９（Ｂ）に示すように解除姿勢に切り換わったロックアーム３４の係止凹部５３が保持突起６１で受け止められる。このとき、ピストンロッド１７は閉じばね３０の張力を受けて、シリンダー１５内へ退縮移動する向きに相対移動しようとするが、ロックアーム３４が保持突起６１で固定保持されるため、退縮移動はできない。
【００３９】
蓄力保持状態が解除された閉じばね３０の張力は、シリンダー１５にも作用している。そのため、シリンダー１５は戸パネル１と共に閉じ方向へ移動する。このとき、シリンダーユニットが制動作用を発揮するので、戸パネル１はゆっくりと閉じ移動する。このときのロックアーム３４は、ケース２３の前後壁で拡開不能に保持されており、したがってロック姿勢に復帰することはない。実際には、上記の一連の動作は連続して円滑に行われるので、どの時点でロックアーム３４が解除姿勢に切り換わったかは殆ど分からない。また、ロックアーム３４が解除姿勢に切り換わるとき、その一部がアーム復帰体３６に衝突するが、アーム復帰体３６がゴムや軟質樹脂で形成してあるので、耳障りな衝突音が発生するのを防止できる。
【００４０】
閉じ状態の戸パネル１を開放操作すると、依然としてロックアーム３４が保持突起６１で受け止められているため、シリンダー１５が戸パネルに同行して開放方向へ移動し、閉じばね３０を徐々に圧縮変形させる。そして、ロックアーム３４が解除体６０および保持突起６１から分離すると、アーム復帰体３６が復帰ばね４６で進出操作されて、その拡開爪５６がロックアーム３４の係止凹部５３の対向縁に接当し、その状態のままでケース２３に固定したアーム係止体３５がロックアーム３４の前後面を通り抜ける。
【００４１】
解除体６０および保持突起６１とロックアーム３４とが完全に分離し、さらにケース２３の前後壁によるロックアーム３４の拡開規制が解放された状態では、アーム復帰体３６の拡開爪５６によって、両ロックアーム３４が拡開操作されてロック姿勢に切り換わり、図１に示すように再び係止爪５２がアーム係止体３５に係止されてロック姿勢に保持される。この状態の閉じばね３０は蓄力されており、シリンダー１５とピストンロッド１７とは制動待機姿勢に復帰している。ロックアーム３４がロック姿勢に切り換えられた位置と全開放位置との間が、戸パネル１を自由に開閉できる自由開閉位置となる。なお、戸パネル１が閉じばね３０の張力で閉じ操作されている途中に戸パネル１を開放操作する場合にも、上記と同様にしてロックアーム３４をロック姿勢に切り換えることができる。
【００４２】
施工時には、ロックアーム３４をロック姿勢に切り換えた状態でケース２３をランナー４と共にガイドレール２に吊り込み、ガイドレール２の所定位置に切換具３７を締結固定する。しかし、作業者の勘違いや錯誤によってロックアーム３４が解除姿勢に切り換わった状態のままで、ケース２３がガイドレール２に吊り込まれるおそれがある。このような場合には、戸パネル１を自由開閉位置に位置させた状態で、ガイドレール２と戸パネル１との上下隙間に臨む操作突起４２にドライバーなどの工具をあてがい、図１１に矢印で示すように、閉じばね３０の張力に抗して操作突起４２を閉じ端側へ移動操作することにより、ロックアーム３４をロック姿勢に切り換えて、閉じばね３０を蓄力状態に保持し、シリンダーユニットを制動待機状態に保持することができる。したがって、ケース２３が誤ってガイドレール２に吊り込まれたとしても、戸パネル１やケース２３をガイドレール２から分解する必要はなく、ごく簡単に修復できる。
【００４３】
上記の実施例における閉じばね３０は引っ張りばねで構成することができ、その場合には、シリンダー１５のロッドガイド１５ａと、ピストンロッド１７に固定した可動ブロック３３との間に閉じばね３０を配置するとよい。また、ピストンロッド１７を固定ばね受体とし、シリンダー１５を可動ばね受体とする場合には、その端プラグ１９に可動ブロック３３を固定して、先の実施例と同様に切換構造を構成することができる。さらに、シリンダー１５に対するピストンロッド１７の退縮動作に換えて、シリンダー１５に対するピストンロッド１７の進出動作を利用して戸パネル１を閉じ操作することができ、その場合には、ピストンロッド１７を進出付勢できる位置に閉じばね３０が設けてあればよいことになる。
【００４４】
上記の実施例では、誤ってロックアーム３４が解除姿勢に切り換わった状態のままで、ケース２３がガイドレール２に吊り込まれた場合に、操作突起４２を手動でリセットできるようにしたが、戸パネル１の開放動作を利用して操作突起４２をリセットすることができる。詳しくは図１２に示すように、可動ブロック３３の上面に操作突起４２を突設し、戸パネル１の開放領域の開放端側に臨むガイドレール２の上壁に操作突起４２をリセットするためのリセット片６４を固定する。
【００４５】
閉じ位置側に位置する戸パネル１を開放操作すると、戸パネル１が全開放位置に達する前に、操作突起４２がリセット片６４に接当する。したがって、さらに戸パネル１を開放操作すると、操作突起４２、可動ブロック３３、およびピストンロッド１７が閉じばね３０の張力に抗しながらばね蓄力方向へ移動操作され、ロックアーム３４がアーム係止体３５を通過した直後にロック姿勢に切り換えられて、戸パネル１が全開放位置に達する。他は先の実施例と同じであるので、同じ部材に同じ符号を付してその説明を省略する。以下の実施例においても同様に扱う。
【００４６】
誤ってロックアーム３４が解除姿勢に切り換わった状態のままで、ケース２３がガイドレール２に吊り込まれた場合には、ピストンロッド１７が限界位置まで退縮移動してピストン１６が端プラグ１９で受け止められる。しかし、閉じ支援装置が適正に組んである場合には、戸パネル１が完全に閉止された状態において、ピストン１６と端プラグ１９との間には１０数ｍｍの隙間がある。この隙間を利用することにより、ロックアーム３４のリセット操作を戸パネル１の開閉動作で自動的に行うことができる。
【００４７】
その場合には、図１３ないし図１５に示すように、切換具３７の保持突起６１の開放端側に隣接してリセット突起６６を配置し、ベース壁５９に設けたガイド穴６７で出没自在に案内支持し、ばね６８で下向きに押し下げ付勢する。リセット突起６６の上端には、リセット突起６６が縦軸まわりに回転するのを防ぐ四角形のフランジ６９が設けてあり、下端の開放端側は丸められて案内面７０としてある。リセット突起６６と保持突起６１との中心間距離は先の隙間寸法と同じか、これより僅かに小さく設定しておく。
【００４８】
先に説明したように、誤った状態のままでケース２３がガイドレール２に吊り込まれた場合には、戸パネル１を手動で閉止位置まで移動操作する。このとき、ピストンロッド１７は限界位置まで退縮移動してピストン１６が端プラグ１９で受け止められているので、保持突起６１は図１４に示すように前後のロックアーム３４の間に位置している。しかし、リセット突起６６は、戸パネル１が閉じ位置まで移動する間に、ばね６８に抗して出没しながらロックアーム３４の上面を乗り越えてアーム復帰体３６の上面で受け止められる。この状態で戸パネル１を開放操作すると、リセット突起６６がロックアーム３４の係止凹部５３の対向縁を受け止めるので、ロックアーム３４、可動ブロック３３、およびピストンロッド１７は移動できず、その位置に保持される。したがって、シリンダー１５およびケース２３が戸パネル１に同行して開放方向へ移動し、閉じばね３０を蓄力された状態に復帰し、同時にロックアーム３４をロック姿勢に復帰できる。
【００４９】
図１３ないし図１５で説明した閉じ支援装置は、以下の形態で実施することができる。解除状態のロックアーム３４と係合して、可動ブロック３３を閉じばね３０の張力に抗しながらばね蓄力方向へ移動操作して、ロックアーム３４をアーム係止体３５と係止させるためのリセット突起６６が可動ブロック３３に設けられており、リセット突起６６が、可動ブロック３３で上下出没自在に案内支持され、ばね６８でロックアーム３４と係合する向きに移動付勢してある。
【００５０】
図１６は、ユニット部品化されたケース２３をガイドレール２に固定し、切換具３７を開放端側のランナー４に固定した実施例を示す。そこでは、ユニット部品化されたケース２３を上記の実施例とは逆に左右に反転した状態でガイドレール２に固定し、ピストンロッド１７が開放端側へ向かって進出できるように配置する。このように、ユニット部品化されたケース２３と切換具３７とは、その一方をガイドレール２に設けるとき、他方が戸パネル１に設けてあればよい。なお、この実施例におけるロックアーム３４のリセット操作は、図１３ないし図１５で説明したリセット突起６６を併用するとよい。
【００５１】
先に説明した閉じ支援装置においては、戸パネル１を開閉するとき、ランナー４がガイドレール２内で蛇行することがあり、そうした場合に、保持突起６１が前後のロックアーム３４に接当して衝突音を生じることがある。また、ロックアーム３４が解除姿勢からロック姿勢からに切り換わるとき、片方のロックアーム３４のみがアーム係止体３５で受け止められてロック姿勢に保持されることがある。このような場合でも、閉じ支援装置は問題なく機能するが、切換構造の一部が無駄になる。こうした構造の無駄を省き、さらに切換構造の動作の信頼性を向上するために、下記のようにロックアーム３４の前後いずれか一方を省略して切換構造を構成することができる。
【００５２】
詳しくは図１７ないし図２０に示すように、ピストンロッド１７の端部に固定される可動ブロック３３と、可動ブロック３３でロック姿勢と解除姿勢とに往復変位可能に支持される１個のロックアーム３４と、このロックアーム３４をロック姿勢に係止保持するアーム係止体３５と、ロックアーム３４を変位操作して解除姿勢からロック姿勢に切り換えるアーム復帰体３６と、戸パネル１の閉じ動作に連動して、ロックアーム３４をロック姿勢から解除姿勢に切り換えて受け止め保持する切換具３７とで切換構造を構成する。可動ブロック３３およびロックアーム３４と、アーム係止体３５と、アーム復帰体３６とは、先の実施例と同様に、シリンダーユニットと共にケース２３に組み込まれて１個のユニット部品として構成される。
【００５３】
可動ブロック３３の一側に限ってロックアーム３４を設けるのに伴って、可動ブロック３３は、図１９に示すようにベース壁４０ａの前部上面に、ロックアーム３４と前後に対向するガイド壁４０ｂを設け、このガイド壁４０ｂでアーム復帰体３６をスライド案内できるようにした。また、アーム復帰体３６は、ロックアーム３４と対向する側に限って拡開爪５６を設け、前面側はガイド壁４０ｂでスライド案内される摺動面３６ａとした。切換具３７は、解除体６０と保持突起６１とを一体に連続形成し、解除体６０の後面に限ってくさび面６０ａを形成した。
【００５４】
戸パネル１が自由開閉位置にあるとき、ピストンロッド１７はシリンダー１５から進出して閉じばね３０が圧縮変形された状態、すなわち蓄力された状態になっており、ロックアーム３４は、図１７に示すように係止爪５２がアーム係止体３５のリブ壁５５で受け止められてロック姿勢に保持されている。このとき、アーム復帰体３６の一部はガイド穴４５から押し出されて、拡開爪５６の基端がロックアーム３４の係止凹部５３の対向縁で受け止められており、ロックアーム３４の受動部５１の下端は規制段部４８で受け止められている。この状態の閉じばね３０の張力は、シリンダー１５とケース２３とが受け止めている。
【００５５】
上記の状態の戸パネル１を閉じ操作すると、図２０（Ａ）に示すようにロックアーム３４が切換具３７に接近し、やがて保持突起６１が両ロックアーム３４の間を相対的に通り抜けて拡開爪５６の突端に接当し、アーム復帰体３６をガイド穴４５内へ退入させる。同時にロックアーム３４の受動部５１が解除体６０のくさび面６０ａに接当する。さらに戸パネル１が閉じ方向へ移動すると、受動部５１がくさび面６０ａで拡開操作されるため、ロックアーム３４とアーム係止体３５との係止状態が解除される（図２０（Ｂ）の状態）。
【００５６】
アーム係止体３５との係止状態が解除されたロックアーム３４は、ロック姿勢から解除姿勢に切り換わり、閉じばね３０の蓄力保持状態が解除される。同時に、図２０（Ｂ）に示すように解除姿勢に切り換わったロックアーム３４の係止凹部５３が保持突起６１で受け止められる。このとき、ピストンロッド１７は閉じばね３０の張力を受けて、シリンダー１５内へ退縮移動する向きに相対移動しようとするが、ロックアーム３４が保持突起６１で固定保持されるため、退縮移動はできない。
【００５７】
蓄力保持状態が解除された閉じばね３０の張力は、シリンダー１５にも作用している。そのため、シリンダー１５は戸パネル１と共に閉じ方向へ移動する。このとき、シリンダーユニットが制動作用を発揮するので、戸パネル１はゆっくりと閉じ移動する。シリンダー１５が閉じ方向へ移動するのに伴って、ロックアーム３４の掛止爪５２がケース２３の後壁の内面に入り込む。そのためロックアーム３４は、ケース２３の後壁で拡開不能に保持されることになり、したがってロック姿勢に復帰することはない。実際には、上記の一連の動作は連続して円滑に行われるので、どの時点でロックアーム３４が解除姿勢に切り換わったかは殆ど分からない。以上により、戸パネル１が全閉じ操作され、その状態に保持される。
【００５８】
閉じ状態の戸パネル１を開放操作すると、シリンダー１５が戸パネルに同行して開放方向へ移動する。しかし図２０（Ｃ）に示すように、ロックアーム３４は依然として保持突起６１で受け止められているため、シリンダー１５に同行して移動することはできず、その結果閉じばね３０が徐々に圧縮変形される。そして、シリンダー１５およびケース２３が一定量移動して、図２０（Ｂ）に示すように、ロックアーム３４の掛止爪５２がアーム係止体３５のリブ壁５５から抜け出ると、ケース２３の後壁によるロックアーム３４の拘束が解除されるので、ロックアーム３４は保持突起６１で拡開操作される（図２０（Ａ）に示す状態）。引き続き戸パネル１を開放操作することにより、ロックアーム３４は解除体６０および保持突起６１から分離し、アーム復帰体３６が復帰ばね４６で進出操作されて、その拡開爪５６がロックアーム３４の係止凹部５３の対向縁に接当し、その状態のままでケース２３に固定したアーム係止体３５がロックアーム３４の前後面を通り抜ける。
【００５９】
解除体６０および保持突起６１とロックアーム３４とが完全に分離し、さらにケース２３の前後壁によるロックアーム３４の拡開規制が解放された状態では、アーム復帰体３６の拡開爪５６によって、両ロックアーム３４が拡開操作されてロック姿勢に切り換わり、図１７に示すように再び係止爪５２がアーム係止体３５に係止されてロック姿勢に保持される。この状態の閉じばね３０は蓄力されており、シリンダー１５とピストンロッド１７とは制動待機姿勢に復帰している。ロックアーム３４がロック姿勢に切り換えられた位置と全開放位置との間が、戸パネル１を自由に開閉できる自由開閉位置となる。なお、戸パネル１が閉じばね３０の張力で閉じ操作されている途中に戸パネル１を開放操作する場合にも、上記と同様にしてロックアーム３４をロック姿勢に切り換えることができる。
【００６０】
上記のように、片方のロックアーム３４のみで切換構造を構成する閉じ支援装置によれば、前後一対のロックアーム３４を含んで切換構造を構成する場合に比べて、構造を簡素化して故障しにくい切換構造とすることができる。また、ケース２３の後面側に限ってロックアーム３４を設けるので、ロックアーム３４とアーム復帰体３６との相対的な位置精度を向上でき、狭いケース２３内における設計の自由度が増す利点もある。ランナー４がガイドレール２内で蛇行することがあっても、保持突起６１とロックアーム３４とを確実に接離させて、ロック姿勢と解除姿勢との間のロックアーム３４の姿勢切り換えをさらに確実に行うことができる。
【００６１】
上記の実施例では、アーム復帰体３６で両ロックアーム３４を拡開操作してロック姿勢に切り換えたが、その必要はなく、例えば保持突起６１が係止凹部５３を押し拡げる動作を利用して両ロックアーム３４をロック姿勢に切り換えることができる。ユニット部品化された状態のケース２３は、戸パネル１の上面に装着することができる。
【００６２】
アーム係止体３５は、ケース２３の前後壁の一部をケース外面側へ折り曲げて形成することができる。ダンパー１４はエアーダンパーである必要はなく、例えば、ギヤポンプで循環される油液の流動を絞り弁で規制するオイルダンパーや、摩擦抵抗を利用するダンパーであってもよい。ダンパー１４は、戸パネル１とガイドレール２のいずれかに配置してあればよい。本発明の閉じ支援装置は玄関用の引戸や居室用の引戸などにも適用できる。閉じ支援装置のダンパー１４は省略することができる。
【図面の簡単な説明】
【００６３】
【図１】閉じ支援装置の切換構造を示す横断平面図である。
【図２】引戸の正面図である。
【図３】閉じ支援装置の全体構造を示す正面図である。
【図４】ダンパーおよび切換構造を示す分解正面図である。
【図５】ダンパーおよび切換構造を示す横断平面図である。
【図６】切換構造の分解斜視図である。
【図７】切換構造の正面図である。
【図８】切換構造の縦断正面図である。
【図９】切換構造の動作を示す横断平面図である。
【図１０】図８におけるＡ−Ａ線断面図である。
【図１１】切換構造のリセット動作を示す正面図である。
【図１２】切換構造のリセット構造の別実施例を示す縦断正面図である。
【図１３】切換構造のリセット構造のさらに別の実施例を示す縦断正面図である。
【図１４】切換構造のリセット構造の横断平面図である。
【図１５】図１４におけるＢ−Ｂ線断面図である。
【図１６】閉じ支援装置の別の実施例を示す横断平面図である。
【図１７】切換構造の別の実施例を示す縦断正面図である。
【図１８】図１７に係る切換構造の分解斜視図である。
【図１９】図２０におけるＣ−Ｃ線断面図である。
【図２０】図１７に係る切換構造の動作を示す横断平面図である。
【符号の説明】
【００６４】
１  戸パネル
２  ガイドレール
１４  エアダンパー
１５  シリンダー
１７  ピストンロッド
３０  閉じばね
３３  可動ブロック
３４  ロックアーム
３５  アーム係止体
３７  切換具
【図１】
0004875592.tif 000002
【図２】
0004875592.tif 000003
【図３】
0004875592.tif 000004
【図４】
0004875592.tif 000005
【図５】
0004875592.tif 000006
【図６】
0004875592.tif 000007
【図７】
0004875592.tif 000008
【図８】
0004875592.tif 000009
【図９】
0004875592.tif 000010
【図１０】
0004875592.tif 000011
【図１１】
0004875592.tif 000012
【図１２】
0004875592.tif 000013
【図１３】
0004875592.tif 000014
【図１４】
0004875592.tif 000015
【図１５】
0004875592.tif 000016
【図１６】
0004875592.tif 000017
【図１７】
0004875592.tif 000018
【図１８】
0004875592.tif 000019
【図１９】
0004875592.tif 000020
【図２０】
0004875592.tif 000021